(57)【要約】【課  題】ターミナルピンの口径が異なる継手に使用可能な電気融着装置のコネクターにおいて、コネクターに一体に設けられる第１の差込口とは別に第２の差込口を内蔵して一体化し、施工現場に携行するのを忘れたり、紛失するおそれをなくすと共に使用しない差込口が水に接触して感電するおそれをなくし、またドロ等で汚れるのを防止するためにキャップを被せなくてもよいようにする。【解決手段】第２の差込口１４をコネクター１１に一体的に設けられる第１の差込口１２に嵌挿される導電性の筒部１４ａと、該筒部上に一体形成され、コネクター１１の嵌挿孔１５に嵌挿される押え部１４ｂよりなり、筒部外周にはコイルバネ１６が装着され、第２の差込口１４を上向きに押出すように付勢している。第２の差込口１４は、爪レバー１７の爪１７ａが係止溝１９ａ、１９ｂに係脱可能に係止することにより、使用位置に或いは後退位置にとどめられる。【選択図】  図２
2004245377.tif 000002
【特許請求の範囲】
【請求項１】
電気融着継手と樹脂管を電気融着する際に用いる電気融着装置のコネクターであって、コネクターに一体に設けられ、ターミナルピンに差込み可能な第１の差込口と、コネクターに内蔵されて上記第１の差込口にスライド可能に嵌挿され、上記第１の差込口とは口径の異なるターミナルピンに差込み可能な第２の差込口と、該第２の差込口を第１の差込口に嵌挿し、ターミナルピンに差込み可能な使用位置と、該使用位置より退避し、ターミナルピンに差込み不能な後退位置とに切換える切換手段を有することを特徴とするコネクター。
【請求項２】
上記切換手段が第２の差込口を後退位置に退避するように付勢するバネ手段と、第２の差込口と一体をなしてコネクターより突出ないし露出し、第２の差込口をバネ手段の作用に抗して使用位置に押込むための押え部と、第２の差込口を使用位置と後退位置のうち、少なくとも使用位置に留めることができるようにするため、第２の差込口に係脱可能に係止する係止手段とからなることを特徴とする請求項１記載のコネクター。
【請求項３】
電気融着継手と樹脂管を電気融着する際に用いる電気融着装置のコネクターであって、口径の異なるターミナルピンに差込可能な差込口が複数、それぞれコネクターに抜き差し可能に押込まれて一連に連設され、各差込口とコネクターのうち、いづれか一方に突起が、他方に該突起が係脱可能に係止する窪みが形成され、差込口を一定量押込むと、突起が窪みに係脱可能に係止することを特徴とするコネクター。
【発明の詳細な説明】
【０００１】
【発明が属する技術分野】
本発明は、電気融着継手と樹脂管との電気融着時に電気融着継手のターミナルに差込まれる電気融着装置のコネクターに関する。
【０００２】
【従来技術】
【特許文献１】特開平１１−３２０６８９号
電気融着継手には、ターミナルピンの口径が異なったものがある。
ターミナルピンの口径が異なる継手の電気融着を行うときには通常、その口径に適合する差込口を備えたコネクターを有する電気融着装置が用いられるが、同じ電気融着装置のコネクターを用いてターミナルピンの口径が異なる継手の電気融着を行うことができるようにしたものもある。この場合には、コネクターの差込口にターミナルピンの口径に適合するアダプターを取付けるか、或いは図１に示すように、コネクター１にターミナルピンの口径に対応する差込口２ａ、２ｂを複数設け、継手のターミナルピンの口径に応じて差込口２ａ、２ｂの使い分けをしていた。この種のタイプのものが上記特許文献１に開示される。
【０００３】
【発明が解決しようとする課題】
電気融着継手のコネクターは、ドロ等による汚れ防止のためにキャップを被せ、融着時にのみキャップを外すようにしているが、アダプターを用いる場合、汚れ防止のためにコネクターばかりでなく、取外したアダプターにもキャップを取付けておかねばならないし、施工現場にアダプターを携行するのを忘れたり、アダプター自体が紛失したりすることがある。
【０００４】
コネクターに複数の差込口を設け、差込口が一体型をなす図１に示すものや上記特許文献１に示されるものでは、アダプターを用いる場合のように、アダプターの持参忘れや紛失を生ずることはないが、各差込口には汚れ防止のためにキャップを必要とし、また融着時には複数の差込口のうちの一つを使用し、他は使用しないため、使用しない差込口が水溜まり等の水に接触して感電するおそれがある。
【０００５】
本発明は、上記の問題を解消し、ターミナルピンの口径が異なる継手に使用することができる電気融着装置のコネクターを提供することを目的とする。
【０００６】
【課題の解決手段】
請求項１に係わる発明においては、ターミナルピンに差込可能な第１の差込口をコネクターに一体に設けると共に、第１の差込口とは口径の異なるターミナルピンに差込み可能な第２の差込口をコネクターに内蔵して第１の差込口にスライド可能に嵌挿し、該第２の差込口を第１の差込口に押込んでターミナルピンに差込み可能な使用位置と該使用位置より退避し、ターミナルピンに差込み不能な後退位置とに切換える切換手段を設ける。そしてこの切換手段を手動操作して第２の差込口を使用位置に切換えたときには、第２の差込口が継手のターミナルピンに差込まれ、第２の差込口を後退位置に切り換えたときには、第１の差込口が継手のターミナルピンに差込まれる。
【０００７】
本発明によると、第２の差込口はコネクターに内蔵される一体型であるため、コネクターには従来通り、汚れ防止のためにキャップを被せるだけでよく、不使用時に水と接触して漏電するおそれがないし、所要時に探さねばならないようなこともない。
本発明の切換手段は、手動操作により第２の差込口を使用位置と、後退位置とに切換できるようなものであれば、どのようなものでもよい。手動操作とは、例えばレバー操作、ダイヤル操作、押しボタン操作などである。
【０００８】
請求項２に係わる発明は、押しボタン操作による切換手段を備えたコネクターに関するもので、請求項１記載のコネクターにおいて、切換手段が第２の差込口を後退位置に退避するように付勢するバネ手段と、第２の差込口と一体をなしてコネクターより突出ないし露出し、第２の差込口をバネ手段の作用に抗して使用位置に押込むための押え部と、第２の差込口を使用位置と後退位置のうち、少なくとも使用位置に留めることができるようにするため、第２の差込口に係脱可能に係止する係止手段とからなるものである。
【０００９】
本発明によると、押え部をバネの作用に抗して押込み、第２の差込口が使用位置に達して係止手段で係止されると、第２の差込口が使用位置に切換えられる。これにより融着時には第２の差込口が継手のターミナルピンに差込まれる。
後退位置は、バネ手段が伸びきった位置を後退位置としてもよいし、使用位置と同様、第２の差込口に係脱可能に係止する第２の係止手段を設け、後退位置に留められるようにしてもよい。
【００１０】
ここで係止手段とは、例えば第２の差込口とコネクターのうち、いずれか一方に設けられ、バネにって押出されるように付勢されるピン又はボールと、他方に形成され、ピン又はボールが嵌合する凹部よりなるもの、第２の差込口の係止溝に係脱可能に係止する爪を備えた爪レバーと、爪レバーを一回転方向に付勢し、爪を係止溝に係止させるバネと、爪レバーに一体形成され、爪レバーをバネの作用に抗して逆向きに回転し、爪を係止溝より離脱させる操作部よりなるもの等を例示することができる。
【００１１】
請求項３に係わる発明においては、コネクターに口径の異なるターミナルピンに適合する差込口が複数、抜き差し可能に押込まれて一連に連設され、後尾の差込口を押込むと、先端の差込口がコネクターより押出されるように構成される。そして各差込口とコネクターのうち、いずれか一方に突起が、他方に突起が係脱可能に係止る窪みが形成され、差込口を一定量押込むと、突起が窪みに係脱可能に係止するようにされる。
【００１２】
本発明によると、後尾の差込口を一定量押込むと、各差込口が一定量ずつ押出され、突起が窪みに係止して固定状態となる。押出された先端の差込口はコネクターより離脱し、離脱したコネクターは後尾の差込口側からコネクターに押し込まれ、後尾の差込口となる。融着時には、先端の差込口が、継手のターミナルに差込まれる。
【００１３】
【発明の実施の形態】
図２に示すコネクター１１は、該コネクター１１に一体化して設けられる第１の差込口１２が導電性の内筒部１２ａと、樹脂製の外筒部１２ｂより構成され、内筒部１２ａは、上部に図示しない電源と導線１３により接続される大径のバネ受け１２ｃを有している。
【００１４】
第２の差込口１４は、第１の差込口１２の内筒部１２ａにスライド可能に嵌挿される導電性の筒部１４ａと筒部１４ａ上に一体形成されるコネクター１１の嵌挿孔１５にスライド可能に嵌挿される押え部１４ｂよりなり、筒部１４ａに装着されるバネ手段としてのコイルバネ１６がバネ受け１２ｃと押え部１４ｂとの間に介装されている。こうして第２の差込口１４は、コイルバネ１６の作用により図２の矢印と逆向きに突出するように付勢されている。
【００１５】
切換手段は、爪１７ａを備え、コネクター１１に回動可能に軸支されるベルクランク状の非磁性体よりなる爪レバー１７と、爪１７ａを嵌挿孔１５より突出するように付勢するバネとしてのつる巻バネ（図示しない）と、爪レバー１７と一体形成され、コネクター１１より突出する操作部１７ｂとよりなり、第２の差込口１４は、押え部１４ｂの外周面に爪レバー１７の爪１７ａが係脱可能に係止する係止溝１９ａ、１９ｂを上下に形成している。またこの差込口１４は、回転止めのため押え部１４ｂが例えば断面矩形状に形成されて矩形状の嵌挿孔１５に嵌挿されるか、抑え部１４ｂにキー状の突部が突設され、嵌挿孔内周のキー溝状の縦溝にスライド可能に嵌挿されている。
【００１６】
本実施形態のコネクター１１は以上のように構成され、操作部１７ｂを押して爪レバー１７を図の時計方向に回動させ、爪１７ａを上側の係止溝１９ａより外して、コネクター１１より突出する押え部１４ｂを押し込む。これにより、図２の一点鎖線で示すようにコイルバネ１６の作用に抗して第２の差込口１４が押下げられ、筒部１４ａが第１の差込口１２の円筒部１２ａ内に嵌挿される。操作部１４ｂの押えは、上側の係止溝１９ａが爪１７ａより外れた段階で解除されているため、第２の差込口１４が円筒部１２ａ内に押下げられるとき爪１７ａは押え部１４ｂの外周面をスライドする。スライド後、爪１７ａが押え部１４ｂの下側の係止溝１９ｂに係止すると、第２の差込口１４が図２の一点鎖線で示す使用位置に切換わり、継手のターミナルピン（図示しない）に差込まれる。
【００１７】
第１の差込口１２を使用するときには、図２の一点鎖線で示す位置にある押え部１４ｂを押す。すると爪１７ａが係止溝１９ｂより外れ、この状態で第２の差込口１４がコイルバネ１６の作用により上昇する。そして下側の係止溝１９ｂに爪１７ａが係止した図２の実線で示す後退位置に切換わる。
【００１８】
図３に示すコネクター２１は、貫通孔２２の下部内周面に図示しない電源と導線２３により接続される導電性の円筒部２４を埋設し、貫通孔２２内に二個の差込口２５、２６が抜き差し可能に押し込まれて一連に埋設され、下側の差込口（図においては、差込口２６が下側になっているが、後述するように差し換えられて差込口２５が下側になることもある）は、下半分がコネクター２１より突出している。
【００１９】
各差込口２５、２６はそれぞれ、内径が異なる導電性のキャップ状をなす有底の筒部２５ａ、２６ａと、該筒部２５ａ、２６ａの上部外周を除く外周部と上面を覆う樹脂性の被覆部２５ｂ、２５ｃ、２６ｂ、２６ｃからなり、筒部上面を覆う被覆部２５ｃ、２６ｃの外周にはそれぞれ、窪み２７ａ、２７ｂが形成され、貫通孔２２の内周面の上部と下部に突設される突起２８ａ、２８ｂと係脱可能に係止するようになっている。
【００２０】
本実施形態のコネクター２１は以上のように構成され、図１の差込口２５を使用しようとするときには、差込口２５を図の矢印方向に押込み、差込口２６をコネクター２１より押し出す。差込口２５の押込みは、窪み２７ａに突起２８ｂが係止するまで行われ、係止した段階で差込口２５が差込口２６と切換えられる。押出された差込口２６は、押込まれた差込口２５の上方より矢印方向に押込まれ、差込口２５と上下に一連に連設される。
【００２１】
【発明の効果】
請求項１記載の発明によると、同じコネクターを用いてターミナルピンの口径の異なる継手の電気融着を行うことができること、第２の差込口はコネクターに内蔵されるため、従来通りコネクターにキャップを被せておくだけで第２の差込口がドロ等で汚れることがなく、施工現場に持っていくのを忘れたり、紛失したりするおそれがなく、また水に接触して感電するおそれもないこと等の効果を奏する。
【００２２】
請求項２記載の発明によると、押え部をバネの作用に抗して押込み、係止手段で係止されると、第２の差込口が使用位置に切換えられる。係止手段を第２の差込口より離脱させると、押え部がバネの作用により復動し、元の位置に復帰して第１の差込口が使用可能となる。
【００２３】
請求項３記載の発明によると、請求項１記載の発明と同様、同じコネクターを用いてターミナルピンの口径の異なる継手の電気融着を行うことができること、複数の差込口のうち、使用するのは一つだけで、残りの使用しない差込口はコネクター内に収められるから、汚れ防止のため従来通りコネクターにキャップを被せるだけでよく、使用しない差込口が水に接触して感電するおそれもないこと、コネクターより押出された差込口は後尾に差込まれ、コネクターに組込まれて一体化されるため、施工現場に携行を忘れたり、紛失したりすることをなくすことができること等の効果を奏する。
【図面の簡単な説明】
【図１】差込口を複数備えた従来の電気融着装置のコネクターの概略図。
【図２】本発明に係わる電気融着装置のコネクターの要部の断面図。
【図３】本発明に係わるコネクターの別の例の要部の断面図。
【符号の説明】
１１、２１・・コネクター
１２・・第１の差込口
１３、２３・・導線
１４・・第２の差込口
１５・・嵌挿孔
１６・・コイルバネ
１７・・爪レバー
１９ａ、１９ｂ・・係止溝
２２・・貫通孔
２４・・円筒部
２５、２６・・差込口
２７ａ、２７ｂ・・窪み
２８ａ、２８ｂ・・突起
【図１】
2004245377.tif 000003
【図２】
2004245377.tif 000004
【図３】
2004245377.tif 000005